(57)【特許請求の範囲】
【請求項１】
配管の表面全周に装着される本体と、この本体に設けられ前記配管と交差方向に広がるフランジ部と、このフランジ部の周縁に形成されて前記フランジ部の一方の面側に突出した折り返し部とを備え、
前記本体の内周には前記配管に対する滑り止め手段が形成され、
前記滑り止め手段は、前記本体の内周に沿って設けられた爪であることを特徴とする防蟻カプラ。
【請求項２】
配管の表面全周に装着される本体と、この本体に設けられ前記配管と交差方向に広がるフランジ部と、このフランジ部の周縁に形成されて前記フランジ部の一方の面側に突出した折り返し部とを備えた防蟻カプラを用いる床下配管防蟻構造において、
建物の床に形成された屋内導入部と、この屋内導入部に挿通された前記配管と、この配管の前記屋内導入部の下方近傍に配置された前記防蟻カプラとを備え、
前記配管は、配管本体とこの配管本体を覆う保温材とを備えるとともに、前記防蟻カプラは、前記配管本体の表面に装着されていることを特徴とする床下配管防蟻構造。
【発明の詳細な説明】
【０００１】
【発明の属する技術分野】
本発明は、建物の防蟻カプラおよび床下配管防蟻構造に関する。例えば、木造住宅の床下配管等に利用できる。
【０００２】
【背景技術】
従来、住宅等の建築物、特に木造建築においては、基礎および１階床で防蟻処理を行っている。例えば、１階床面の下面には全面に亘って防蟻シートが貼られ、基礎に乗る土台は防蟻剤で処理されている。これによって、白蟻が基礎部分を登って屋内へ侵入できないようにしている。
【０００３】
屋内への配管は、一般に、基礎内側の地中から立上がって、防蟻シートおよび１階床面を貫通して設置されている。したがって、白蟻は地中を通り抜けて基礎内側の地面に到達し、地面から立上がる配管を登って１階床を通り抜けて屋内に侵入する可能性がある。よって、防蟻シートの貫通孔の補修を確実に行う必要があった。
この場合、防蟻シートの貫通部の上側から補修を行うが、専用の粘着テープ等を使用しても、防蟻シートに柔軟性があるため施工が難しく、確実に防蟻処理を行うことが困難であった。
【０００４】
以上のような課題を解決するために、本出願人は先に配管接続構造（実開平5-42362号公報）を提案した。これは、床の配管位置に予め貫通孔を設けて、この貫通孔に配管を挿通させるとともに、この貫通孔と配管との隙間を塞ぐために、防蟻剤が塗布された防蟻キャップを床下に設置する構成である。なお、この防蟻キャップは、中央に配管径と等しい大きさの孔が開いた環状の部材であって、配管がこの防蟻キャップの孔に密着して挿通されるとともに、防蟻キャップの端部で床下に設置された防蟻シートの端部を床材に押さえ込んで密着する構造になっている。
【０００５】
【発明が解決しようとする課題】
ところで、上述した防蟻キャップは、貫通孔と配管との隙間を塞ぐ構造であるが、経年変化、振動等により床と防蟻キャップとの間に隙間が生じると、この隙間を白蟻が通り抜けて屋内に侵入する可能性が考えられる。
【０００６】
本発明の目的は、床との間の隙間の有無に関係なく、白蟻が配管の表面を伝って屋内へ侵入するのを容易かつ確実に防止できる防蟻カプラおよび床下配管防蟻構造を提供することにある。
【０００７】
【課題を解決するための手段】
上記目的を達成するため、本発明の防蟻カプラおよび床下配管防蟻構造は、次の構成を採用する。本発明を図面を参照して説明すると、請求項１に記載の防蟻カプラ３０は、配管１０の表面全周に装着される本体３１と、この本体に設けられ前記配管と交差方向に広がるフランジ部３２と、このフランジ部の周縁に形成されて前記フランジ部の一方の面側に突出した折り返し部３３とを備え、前記本体の内周には前記配管に対する滑り止め手段が形成され、前記滑り止め手段は、前記本体の内周に沿って設けられた爪であることを特徴とする。
【０００８】
この発明によれば、配管の表面全周に装着される本体と、配管と交差方向に広がるフランジ部と、フランジ部の一方の面側に突出した折り返し部とで防蟻カプラを構成したので、白蟻が配管の表面を伝って登ってきても、配管の表面全周に本体が装着されているから、配管と本体との間を通り抜けて屋内に到達することがない。また、白蟻がフランジ部および折り返し部を伝って通り抜けようとしても、フランジ部が配管と交差方向に広がっており、かつ折り返し部がフランジ部よりさらに突出しているから、白蟻が自らの体重を支持できずに落下するので、フランジ部および折り返し部を通り抜けて屋内に到達することがない。よって、床と防蟻カプラとの間の隙間の有無に関係なく、白蟻が屋内へ侵入するのを容易かつ確実に防止できる。
【００１１】
また、前記防蟻カプラにおいて、前記本体の内周には前記配管に対する滑り止め手段３４が形成されているので、防蟻カプラが配管から容易にずれることがなく、防蟻カプラを長期に亘って定位置に固定させることができる。
【００１２】
さらに、前記防蟻カプラにおいて、前記滑り止め手段は、前記本体の内周に沿って設けられた爪３４Ａであるので、防蟻カプラを配管に対して挿入していくと、その挿入位置で防蟻カプラは爪によって配管に自動的に係止されるから、防蟻カプラを容易に取り付けることができる。
【００１８】
請求項２に記載の床下配管防蟻構造は、配管の表面全周に装着される本体と、この本体に設けられ前記配管と交差方向に広がるフランジ部と、このフランジ部の周縁に形成されて前記フランジ部の一方の面側に突出した折り返し部とを備えた防蟻カプラを用いる床下配管防蟻構造において、建物の床に形成された屋内導入部と、この屋内導入部に挿通された前記配管と、この配管の前記屋内導入部の下方近傍に配置された前記防蟻カプラとを備え、前記配管は、配管本体とこの配管本体を覆う保温材とを備えるとともに、前記防蟻カプラは、前記配管本体の表面に装着されていることを特徴とする。
この発明によれば、防蟻カプラを配管本体の表面に装着したので、保温材と配管本体との隙間が塞がれるから、白蟻の屋内への侵入を容易かつ確実に防止できる。
【００１９】
【発明の実施の形態】
以下、本発明の実施形態を図面に基づいて説明する。なお、以下の実施形態の説明にあたって、同一構成要件については同一符号を付し、その説明を省略もしくは簡略化する。
〔第１実施形態〕
図１には、本発明の第１実施形態における木造建物１が示されている。
木造建物１は、布基礎２と、この布基礎２の上に設置された床としての床構造３と、床構造３に形成された床下配管防蟻構造５と、床構造３の上に設置された壁等の躯体４とを備えている。
【００２０】
床下配管防蟻構造５は、床構造３に形成された屋内導入部２０と、屋内導入部２０に挿通されて屋外から屋内へと繋がる配管１０と、この配管１０の屋内導入部２０の下方近傍に配置された防蟻カプラ３０とを備えている。配管１０は、屋外から布基礎２を貫通して床構造３の直下を略水平に延び、直角に折れ曲がって屋内導入部２０を貫通しており、布基礎２の内側では地面から離隔している。
ここで、屋内とは、壁等の躯体４と床構造３とで囲まれて形成された空間であって、例えば、キッチン、トイレ、洗面所等の配管を必要とする部屋であるが、部屋に限らず上階へのパイプスペース等でもよい。
【００２１】
床構造３は、図２に示すように、床材１７と、この床材１７の下面に全面に亘って貼り付けられた防蟻シート１９とを含んで構成されている。なお、床材１７は、複数の芯材の上下に合板を設置したパネル工法の床パネル材であるが、床パネル材に限らず、在来工法の床材等でもよい。また、防蟻シート１９に代えて、床材１７に防蟻剤を塗布して防蟻処理をしてもよい。
【００２２】
配管１０は、配管本体１１と、この配管本体１１を全体に亘って覆い屋内導入部２０内まで連続する保温材１２とを備えている。なお、配管本体１１は銅管であるが、銅管に限らず、鉄管、鉛管、鋳鉄管等でもよい。また、保温材１２は、グラスウール製に限らず、その他の材料で形成してもよい。
【００２３】
屋内導入部２０は、床材１７に形成された挿通孔２０Ａと、この挿通孔２０Ａに挿通される配管１０の周囲に介装される保温筒２０Ｂとを備えている。
保温筒２０Ｂは、床材１７の表面から防蟻シート１９の表面までの長さ寸法、つまり床構造３の厚み寸法と等しい長さ寸法Ｓ１を有し、保温筒２０Ｂの下端、つまり床構造３の下面には、防蟻カプラ３０が当接している。
【００２４】
防蟻カプラ３０は、図３に示すように、全体がポリエチレン樹脂で一体成形され、配管１０の表面、つまり保温材１２の表面全周に装着される本体３１と、この本体３１の上端に設けられ配管１０と交差方向に広がるフランジ部３２と、フランジ部３２の周縁に形成された折り返し部３３とを備えている。
【００２５】
本体３１は円筒形状であって、その内周には、図４(ａ)に示すように、配管１０に対する滑り止め手段３４が形成されている。滑り止め手段３４は、本体３１の内周に沿って環状に３段設けられ、中心に向かうにしたがって下側、つまりフランジ部３２から離れる側に突出した爪３４Ａである。なお、滑り止め手段３４は、図４(ｂ)に示すように、本体３１を内側にくびれを設けて突起を形成してもよい。
また、本体３１の内径は保温材１２の外径より僅かに狭く形成され、本体３１が保温材１２を締め付けることにより、配管本体１１と保温材１２との隙間が封止されるようになっている。なお、図２では、便宜上、配管本体１１と保温材１２との間に隙間を設けて記載されている。
【００２６】
フランジ部３２は、環状であって、その上面は保温筒２０Ｂと防蟻シート１９に当接している。なお、フランジ部３２の形状は、環状に限らず、四角形等その他の形状でもよい。
折り返し部３３は、フランジ部３２の一方の面側としての下側に突出して形成され、フランジ部３２に直交している。
【００２７】
したがって、本実施形態によれば以下の効果がある。
（１）配管１０の表面全周に装着される本体３１と、配管１０と交差方向に広がるフランジ部３２と、フランジ部３２の一方の面側に突出した折り返し部３３とで防蟻カプラ３０を構成したので、白蟻が配管１０の表面を伝って登ってきても、配管１０の表面全周に本体３１が装着されているから、配管１０と本体３１との間を通り抜けて屋内に到達することがない。また、白蟻がフランジ部３２および折り返し部３３を伝って通り抜けようとしても、フランジ部３２が配管１０と交差方向に広がっており、かつ折り返し部３３がフランジ部３２よりさらに突出しているから、白蟻が自らの体重を支持できずに落下するので、フランジ部３２および折り返し部３３を通り抜けて屋内に到達することがない。よって、床構造３と防蟻カプラ３０との間の隙間の有無に関係なく、白蟻が屋内へ侵入するのを容易かつ確実に防止できる。
【００２８】
（２）配管１０の表面全周に装着される本体３１と、配管１０と交差方向に広がるフランジ部３２とで防蟻カプラ３０を構成し、全体を樹脂一体成形としたので、白蟻が配管１０の表面を伝って登ってきても、配管１０の表面全周に本体３１が装着されているから、白蟻が配管１０と本体３１との間を通り抜けて屋内に到達することがない。また、白蟻がフランジ部３２を伝って通り抜けようとしても、フランジ部３２は、配管１０と交差方向に広がっている上に樹脂で形成されて表面が平滑になっているから、白蟻が自らの体重を支持できずに落下するので、フランジ部３２を通り抜けて屋内に到達することがない。よって、床構造３と防蟻カプラ３０との間の隙間の有無に関係なく、白蟻が屋内へ侵入するのを容易かつ確実に防止できる。
【００２９】
（３）本体３１の内周に配管に対する滑り止め手段３４を形成したので、防蟻カプラ３０が配管から容易にずれることがなく、防蟻カプラ３０を長期に亘って定位置に固定させることができる。
【００３０】
（４）本体３１の内周に沿って設けられた爪３４Ａを滑り止め手段３４としたので、防蟻カプラ３０を配管１０に対して挿入していくと、その挿入位置で防蟻カプラ３０は爪３４Ａによって配管１０に自動的に係止されるから、防蟻カプラ３０を容易に取り付けることができる。
【００３１】
（５）配管１０の屋内導入部２０の下方近傍に防蟻カプラ３０を設置したので、白蟻が配管１０を伝って登ってきても、防蟻カプラ３０によって白蟻が屋内導入部２０に到達することができず、白蟻が屋内へ侵入するのを容易かつ確実に防止できる。
【００３２】
（６）防蟻カプラ３０を床構造３の下面、つまり防蟻シート１９に当接させたので、防蟻シート１９と防蟻カプラ３０との間に白蟻が通り抜ける隙間が生じないから、白蟻が屋内へ侵入するのを容易かつ確実に防止できる。
【００３３】
（７）屋内導入部２０の配管１０の周囲に保温筒２０Ｂを介装し、防蟻カプラ３０を保温筒２０Ｂの下端に当接させるので、配管１０を保温筒２０Ｂで保温しつつ防蟻機能を発揮できる。
【００３４】
（８）防蟻カプラ３０を保温材１２の表面に装着したので、保温材１２で被覆された配管本体１１に防蟻カプラ３０を取り付けることができるから、配管本体１１を保温材１２で保温しつつ防蟻機能を発揮できる。
【００３５】
（９）防蟻カプラ３０の本体３１で保温材１２を締め付けて、保温材１２と配管本体１１との隙間を封止したので、白蟻が保温材１２と配管本体１１との隙間を通り抜けて屋内に到達することがなく、白蟻が屋内へ侵入するのを容易かつ確実に防止できる。
【００３６】
（１０）防蟻カプラ３０を樹脂で形成したので、薬品を用いる場合に比べ、防蟻機能を長期的に発揮でき、かつ環境への影響を少なくできる。
【００３７】
〔第２実施形態〕
本実施形態において、防蟻カプラ３０は、図５に示すように、配管１０の配管本体１１の表面全周に装着され、保温材１２は屋外から防蟻カプラ３０のフランジ部３２に当接するまで延びている。
したがって、本実施形態によれば、第１実施形態で述べた(１)〜(７)、(１０)の効果に加え、次の効果がある。
（１１）防蟻カプラ３０を配管本体１１の表面に装着したので、保温材１２と配管本体１１との隙間が生じないから、白蟻の屋内への侵入を容易かつ確実に防止できる。
【００３８】
なお、本発明は前記実施形態に限定されるものではなく、本発明の目的を達成できる範囲での変形、改良等は本発明に含まれるものである。
例えば、第１実施形態では、保温筒２０Ｂを床構造３の厚み寸法と等しい長さ寸法Ｓ１としたが、保温筒２０Ｂを、図６(Ａ)に示すように、床構造３の厚み寸法より長い長さ寸法Ｓ２として床構造３より下方に突出させ、その下端に防蟻カプラ３０のフランジ部３２を当接させてもよい。
このようにしても、第１実施形態で述べた(１)〜(５)、(７)〜(１０)の効果がある。
【００３９】
また、第２実施形態では、保温筒２０Ｂを床構造３の厚み寸法と等しい長さ寸法Ｓ１としたが、保温筒２０Ｂを、図６(Ｂ)に示すように、床構造３の厚み寸法より長い長さ寸法Ｓ２として床構造３より下方に突出させ、その下端に防蟻カプラ３０のフランジ部３２を当接させてもよい。
このようにしても、第１実施形態で述べた(１)〜(５)、(７)、(１０)、(１１)の効果がある。
【００４０】
また、第１実施形態では、配管１０の周囲に保温筒２０Ｂを介装したが、図７(Ａ)に示すように、配管１０の周囲に保温筒２０Ｂを介装せず、配管１０を挿通孔２０Ａに対して隙間なく挿通させるようにしてもよい。
このようにしても、第１実施形態で述べた(１)〜(６)、(８)〜(１０)の効果がある。
【００４１】
また、第２実施形態では、配管１０の周囲に保温筒２０Ｂを介装したが、図７(Ｂ)に示すように、配管１０の周囲に保温筒２０Ｂを介装せず、配管１０を挿通孔２０Ａに対して隙間なく挿通させるようにしてもよい。
このようにしても、第１実施形態で述べた(１)〜(６)、(１０)、(１１)の効果がある。
【００４２】
また、第２実施形態では、配管１０を配管本体１１とこの配管本体１１を覆う保温材１２とで構成し、配管１０の周囲に保温筒２０Ｂを介装したが、図７(Ｃ)に示すように、配管１０を配管本体１１のみで構成し、配管１０の周囲に保温筒２０Ｂを介装せず、挿通孔２０Ａに当接させてもよい。
このようにしても、第１実施形態で述べた(１)〜(６)、(１０)〜(１１)の効果がある。
【００４３】
また、各実施形態および図６(Ａ)、(Ｂ)に示す変形例では、配管１０の周囲に保温筒２０Ｂを介装したが、図８(Ａ)、(Ｂ)に示すように、保温筒２０Ｂの代わりに仕口部材８０を用いて配管１０を床材１７に固定してもよい。仕口部材８０は、配管１０に装着されて配管１０を水平方向に固定するフランジ部８１と、配管１０に装着されて配管１０を鉛直方向に固定する仕口部８２とを備えている。フランジ部８１は、配管１０と交差方向に広がる環状であって、床材１７に釘等で固定されている。仕口部８２は、金属性の筒状であって、配管１０に固定され、フランジ部８１の上面に当接している。
なお、図８(Ａ)、(Ｂ)中２点鎖線で示すように、防蟻カプラ３０を床構造３の下面に当接させてもよい。
【００４４】
【発明の効果】
本発明の防蟻カプラおよび床下配管防蟻構造によれば、次のような効果が得られる。
請求項１に記載の防蟻カプラによれば、配管の表面全周に装着される本体と、配管と交差方向に広がるフランジ部と、フランジ部の一方の面側に突出した折り返し部とで防蟻カプラを構成したので、白蟻が配管の表面を伝って登ってきても、配管の表面全周に本体が装着されているから、配管と本体との間を通り抜けて屋内に到達することがない。また、白蟻がフランジ部および折り返し部を伝って通り抜けようとしても、フランジ部が配管と交差方向に広がっており、かつ折り返し部がフランジ部よりさらに突出しているから、白蟻が自らの体重を支持できずに落下するので、フランジ部および折り返し部を通り抜けて屋内に到達することがない。よって、床と防蟻カプラとの間の隙間の有無に関係なく、白蟻が屋内へ侵入するのを容易かつ確実に防止できる。
【図面の簡単な説明】
【図１】本発明の一実施形態に係る床下配管防蟻構造を示す全体断面図である。
【図２】前記実施形態に係る床下配管防蟻構造の拡大断面図である。
【図３】前記実施形態に係る防蟻カプラの斜視図である。
【図４】前記実施形態に係る防蟻カプラの断面図である。
【図５】本発明の第２実施形態に係る床下配管防蟻構造の拡大断面図である。
【図６】本発明の変形例に係る床下配管防蟻構造の拡大断面図である。
【図７】本発明の別の変形例に係る床下配管防蟻構造の拡大断面図である。
【図８】本発明のさらに別の変形例に係る床下配管防蟻構造の拡大断面図である。
【符号の説明】
１      建物としての木造建物
３      床としての床構造
５      床下配管防蟻構造
１０      配管
１１      配管本体
１２      保温材
２０      屋内導入部
２０Ｂ      保温筒
３０      防蟻カプラ
３１      本体
３２      フランジ部
３３      折り返し部
３４      滑り止め手段
３４Ａ      爪
【図１】
0004592899.tif 000002
【図２】
0004592899.tif 000003
【図３】
0004592899.tif 000004
【図４】
0004592899.tif 000005
【図５】
0004592899.tif 000006
【図６】
0004592899.tif 000007
【図７】
0004592899.tif 000008
【図８】
0004592899.tif 000009